(57)【要約】【課題】アナログ公衆回線からの着信をIP電話機に転送する場合に、１つのIP電話回線で複数のIP電話機を呼び出すことができるようにする。【解決手段】アナログ公衆回線からの着信を転送する転送先IP電話機のIPアドレスを、予めIP電話転送装置のアドレステーブルに設定しておく。着信があったときに、設定された各転送先IP電話機を、マルチキャスト機能により呼び出す。最初に応答した転送先IP電話機を通話状態にするとともに他の転送先IP電話機の呼びのセッションを切断する。その他の転送先IP電話機に対しては、「発信元Ｘからの着信はＡが応答」というメッセージを送信する。必要に応じて、傍受可能電話機のIPアドレスを設定しておく。傍受可能電話機が通話状態電話機でないとき、通話データを傍受可能電話機に送信する。【選択図】図１
2006094330.tif 000002
【特許請求の範囲】
【請求項１】
回線からの着信を受ける着信部と、複数の転送先IP電話機のIPアドレスを記憶するアドレステーブルと、回線からの着信があると各転送先IP電話機をマルチキャスト機能により呼び出す転送部と、最初に応答した転送先IP電話機を通話状態にするとともに他の転送先IP電話機を切断する通話制御部と、通話状態にした転送先IP電話機以外の転送先IP電話機に対して所定のメッセージを送信するメッセージ部とを具備することを特徴とするIP電話転送装置。
【請求項２】
傍受可能IP電話機のIPアドレスを記憶する傍受用テーブルと、傍受可能IP電話機に通話状態の転送先IP電話機の通話データを送信する傍受制御部とを備えたことを特徴とする請求項１記載のIP電話転送装置。
【発明の詳細な説明】
【技術分野】
【０００１】
本発明は、IP電話転送装置に関し、特に、回線からの着信を、複数の転送先IP電話機に転送するIP電話転送装置に関する。
【背景技術】
【０００２】
従来の転送電話装置では、外線からの着信を他の外線の電話機に転送することができる。この場合、転送先の電話機は、転送先の１回線について１台しか存在しない。内線電話システムでは、外線から着信があると、予め設定された複数の電話機を同時に呼び出し、最初に応答した電話機を通話状態にする。転送先内線電話機は、１台でも複数台でもよく、何台でも任意に設定できる。
【０００３】
近年は、IPネットワーク（インターネットやLAN）を介して通話することができるIP電話端末が普及してきた。こうしたIP電話端末は、IPネットワークに接続され、利用者が相手の電話番号をダイヤルすると、この電話番号がIPアドレスに変換されてIPネットワークに発信され、そのIPアドレスのIP電話端末が呼び出される。相手のIP電話端末が応答すると、双方のIP電話端末間で通話が開始される。このようなIP電話システムでは、通常は１つのIP電話端末から１つのIP電話端末を呼び出す。LANやVPNを利用したIP内線電話システムでは、外線からの着信を複数の内線電話機に転送することができる。ボタン電話装置やPBXと同様に、発信者が１つの電話番号をダイヤルして、複数の内線電話機を同時に呼び出すこともできる。IP電話システムの例としては、次のようなものがある。
【０００４】
特許文献１に開示された「VoIP電話システムにおける着信転送方法」は、複数個のドメインで内線番号計画を共有している場合においても、確実に正しく着信転送ができるようにするVoIP電話システムである。他の電話端末への着信転送の設定がなされている転送元への着信があったときに、転送元は、クリアリングハウスに対し、転送先についてのアドレス解決要求を送信する。クリアリングハウスは、転送先に、当該転送先についてのアドレス解決要求を送信する。アドレス解決要求を受けた転送先は、当該転送先についての、少なくとも公衆番号を製造者特有情報として含むアドレス解決応答を、クリアリングハウスに返信する。クリアリングハウスは、製造者特有情報を含むアドレス解決応答を、転送元に返信する。転送元は、他の電話端末への着信転送の設定が内線番号であって、発信元の識別番号が公衆番号であったときに、発信元に対して再呼び出しのアドレスを公衆番号で通知する。
【０００５】
特許文献２に開示された「IP転送網を用いた端末間通信接続制御方法」は、IP端末、IP電話機、音声画像装置などの２端末間のIP通信や、マルチキャストIP技術を用いた１：ｎのIP通信に適用できるIP転送網を用いた端末間通信接続制御方法である。IP転送網の内部に、接続サーバと中継接続サーバを設置する。接続サーバは、加入者交換機の回線接続制御と類似した機能を付与される。中継接続サーバは、中継交換機の回線接続制御と類似した機能を付与される。電話機やIP端末や映像端末などの端末が、共通線信号方式の回線接続制御メッセージと１：１対応付け可能な、初期アドレスメッセージ、アドレス完了メッセージ、呼経過メッセージ、応答メッセージ、解放メッセージ、解放完了メッセージを、IP転送網を経由して送受することにより、IP転送網を用いた端末間通信接続制御方法を実現する。更に、IP転送網の網ノード装置にアドレス管理表を設定する。このアドレス管理表に端末のアドレスを登録しておく手段により、情報安全性を高めたマルチキャストによるIPパケット通信を実現する。
【０００６】
特許文献３に開示された「インターネット電話装置」は、インターネットを介して通話が可能なIP電話システムにおいて、発信者がIP電話端末へ発信すると、複数のIP電話端末を呼び出せるものである。IPネットワークに、複数の電話端末が接続されている。IP電話端末のテーブルに、複数のIP電話端末の電話番号を、１つの着信グループの電話番号として設定する。着信が検出されると、テーブルに電話番号が設定された複数の電話端末を呼び出す。応答した電話端末と発信者の電話端末とを接続する。
【特許文献１】特開2003-032372号公報
【特許文献２】特開2002-314577号公報
【特許文献３】特開2003-283653号公報
【発明の開示】
【発明が解決しようとする課題】
【０００７】
しかし、従来の転送電話装置における着信転送方法では、外線からの着信を他の外線に転送するために複数の回線を用意しないと、複数の電話機を同時に呼び出すことはできないという問題がある。本発明の目的は、上記従来の問題を解決して、外線からの着信をIP電話機に転送する場合に、１つのIP電話回線で複数のIP電話機を呼び出すことができるようにすることである。
【課題を解決するための手段】
【０００８】
上記の課題を解決するために、本発明では、IP電話転送装置を、回線からの着信を受ける着信部と、複数の転送先IP電話機のIPアドレスを記憶するアドレステーブルと、着信があると各転送先IP電話機をマルチキャスト機能により呼び出す転送部と、最初に応答した転送先IP電話機を通話状態にするとともに他の転送先IP電話機を切断する通話制御部と、通話状態にした転送先IP電話機以外の転送先IP電話機に対して所定のメッセージを送信するメッセージ部とを具備する構成とした。
【発明の効果】
【０００９】
上記のように構成したことにより、回線からの着信を、同時に複数のIP電話機に転送でき、通話状態にならなかったIP電話機に応答状況などをメッセージで通知することができる。また、必要に応じて通話を傍受することもできる。
【発明を実施するための最良の形態】
【００１０】
以下、本発明を実施するための最良の形態について、図１〜図４を参照しながら詳細に説明する。
【実施例】
【００１１】
本発明の実施例は、アナログ公衆回線からの着信を転送する転送先IP電話機のIPアドレスを予め設定しておき、着信があると、マルチキャスト機能により各転送先IP電話機を同時に呼び出し、最初に応答したIP電話機を通話状態にし、その他のIP電話機に対しては、どのIP電話機が通話したかというメッセージを送信して切断するIP電話転送装置である。
【００１２】
図１は、本発明の実施例におけるIP電話転送装置の動作説明図である。図２は、IP電話転送装置が用いられるシステムの概念図である。図３は、IP電話転送装置の機能ブロック図である。図４は、IP電話転送装置の動作手順を示す流れ図である。図２と図３において、IP電話転送装置１は、アナログ電話回線からの着信を、複数のIP電話機に転送する装置である。アナログ電話機２は、一般のアナログ電話機である。アナログ公衆回線３は、一般のアナログ電話回線である。IP電話機４は、インターネットを利用する電話機である。インターネット５は、IP通信網である。
【００１３】
着信部６は、アナログ公衆回線からの着信を受け付ける手段である。アナログ公衆回線側からみると、普通のアナログ電話機に見える。アドレステーブル７は、転送先のIPアドレスを格納するメモリである。通話制御部８は、アナログ電話機とIP電話機を通話状態に接続する手段である。転送部９は、IP電話機をマルチキャスト機能により呼び出すとともに、各種の通信制御を行う手段である。メッセージ部10は、IP電話機に対して所定のメッセージを送信する手段である。傍受用テーブル11は、傍受可能IP電話機のIPアドレスを記憶するメモリである。傍受制御部12は、傍受可能IP電話機に通話データを送信する手段である。
【００１４】
IP電話転送装置１の着信部６には、アナログ電話の公衆回線３が接続される。この公衆回線３には、通常はアナログ電話機21が接続されている。このアナログ電話機21を、着信転送元電話機という。IP電話転送装置１が着信転送に設定されていると、着信転送元のアナログ電話機21の代わりに、IP電話転送装置１の着信部６が、公衆回線３に接続される。IP電話転送装置１が着信転送に設定されると、IP電話転送装置の転送部９には、インターネット５が接続される。インターネット５のIP電話回線には、通常はIP電話機41が接続されている。インターネット５のIP電話回線には、複数のIP電話機４が接続されている。図示していないが、インターネット５には、電話番号とIPアドレスとの対応を管理するゲートキーパーと呼ばれる装置が接続されている。
【００１５】
上記のように構成された本発明の実施例におけるIP電話転送装置の動作を説明する。最初に、図１と図２を参照しながら、IP電話転送装置の動作の概略を説明する。着信転送を行なわない場合には、公衆回線３からの着信は、内線子機＃１または内線子機＃２呼び出し、通常の電話機として通話できる。着信転送を行なう場合には、公衆回線３からの着信は、インターネット５に接続させたＩＰ電話回線の１回線のみを使って、複数のＩＰ電話機４に同時に着信を転送する。
【００１６】
あらかじめ、複数のIP電話機Ａ〜Ｄを、着信転送先として、IP電話転送装置１に登録しておく。すなわち、複数のIP電話機Ａ〜ＤのIPアドレスを、IP電話転送装置１のアドレステーブルに格納しておき、マルチキャスト転送ができるように、グループに設定して登録しておく。内線子機＃１又は内線子機＃２でIP電話転送装置１に対して転送設定をする。発信者が公衆回線から着信転送元電話機に電話をかけると、IP電話転送装置１が着信転送に設定されていれば、IP電話転送装置１の着信部に着信する。着信が到来すると、IP電話機Ａ〜Ｄに対して転送を行なう。
【００１７】
アナログ公衆回線３の発信元Ｘからの着信に対して、IP電話転送装置１はIPのマルチキャスト機能を利用して、各転送先IP電話機Ａ〜Ｄを同時に呼び出す。転送先IP電話機Ａが最初に応答した場合は、IP電話機Ａを通話状態にする。それ以外のIP電話機Ｂ〜Ｄへは、「発信元Ｘからの着信はＡが応答」などのメッセージを送出してから、呼び動作をキャンセルし、セッションを解放する。呼ばれた複数の転送先IP電話機のうち、通話をモニターできるように事前に設定されている転送先IP電話機Ｄは、発信元Ｘと電話機Ａの通話をモニターできる。
【００１８】
次に、図３を参照しながら、IP電話転送装置の各部の動作を説明する。アドレステーブル７に、複数の転送先IP電話機のIPアドレスを格納しておく。傍受用テーブル11に、傍受可能IP電話機のIPアドレスを格納しておく。IP電話転送装置１の着信部６は、アナログ電話回線からの着信を受ける。着信があると、転送部９は、アドレステーブル７を参照して各転送先IP電話機のIPアドレスを取得し、各転送先IP電話機をマルチキャスト機能により呼び出す。通話制御部８は、最初に応答した転送先IP電話機を通話状態にするとともに、他の転送先IP電話機を切断する。メッセージ部10は、通話状態にした転送先IP電話機以外の転送先IP電話機に対して、「発信元Ｘからの着信はＡが応答」などのメッセージを送信する。傍受制御部12は、傍受可能IP電話機に、通話状態の転送先IP電話機の通話データを送信する。
【００１９】
次に、図４を参照しながら、IP電話転送装置の動作手順を説明する。IP電話転送装置のメモリ内のアドレステーブルには、転送先の複数のIP電話機のIPアドレスが登録されている。アナログ電話回線の発信元Ｘから、IP電話転送装置の着信部に着信があると、アドレステーブルからIP電話機Ａ〜ＤのIPアドレスを読み出す。IPのマルチキャスト機能を利用して、IP電話機Ａ〜ＤのIPアドレスに宛ててINVITEコマンドを送信し、各転送先IP電話機Ａ〜Ｄを同時に呼び出す。各転送先IP電話機Ａ〜Ｄは、RINGING応答をIP電話転送装置に返すとともに、IP電話機のベルを鳴らす。各転送先IP電話機Ａ〜Ｄは、オフフックされると、OK応答をIP電話転送装置に返す。IPのマルチキャスト機能については、周知の機能であるので、詳しい説明は省略する。必要ならば、特許文献２などを参照されたい。
【００２０】
転送先IP電話機Ａが最初に応答したとすると、IP電話転送装置は、転送先IP電話機ＡのみにACK応答を返し、外線の発信元Ｘと転送先IP電話機Ａを通話状態にする。IP電話機Ｂ〜Ｄへは、BYEコマンドを送信し、呼び動作をキャンセルしてセッションを解放するとともに、「発信元Ｘからの着信はＡが応答」などのメッセージを送出する。通話状態にならなかったIP電話機から必要なときに受信メッセージを読み出すことで、どのIP電話機が応答したか知ることができる。
【００２１】
転送先IP電話機Ｄは、通話をモニターできるように事前に設定されているので、転送先IP電話機Ｄには、発信元ＸとIP電話機Ａとの通話データを送信する。転送先IP電話機Ｄでは、モニター開始ボタンを押せば、通話をモニターすることができる。通話終了後でも、記憶されている通話データを再生して聞くことができる。アナログ公衆回線からの着信を転送する例で説明したが、ISDN回線やIP通信網などの回線からの着信を転送することも、同様にして可能である。
【００２２】
上記のように、本発明の実施例では、IP電話転送装置を、外線からの着信を転送する転送先IP電話機のIPアドレスを予め設定しておき、外線からの着信があると、マルチキャスト機能により各転送先IP電話機を呼び出し、最初に応答したIP電話機を通話状態にし、その他の電話機に対しては、所定のメッセージを送信して切断する構成としたので、通話状態以外の転送先へメッセージで応答状況などを通知することができる。
【産業上の利用可能性】
【００２３】
本発明のIP電話転送装置は、アナログ電話回線からの外線着信を、複数のIP電話機に同時に転送して呼び出し、最初に応答した電話機を通話状態にする転送電話システムに最適である。
【図面の簡単な説明】
【００２４】
【図１】本発明の実施例におけるIP電話転送装置の動作説明図である。
【図２】本発明の実施例におけるIP電話転送装置が用いられるシステムの概念図である。
【図３】本発明の実施例におけるIP電話転送装置の機能ブロック図である。
【図４】本発明の実施例におけるIP電話転送装置の動作手順を示す流れ図である。
【符号の説明】
【００２５】
１・・・IP電話転送装置、２・・・アナログ電話機、21・・・アナログ電話機、３・・・アナログ公衆回線、４・・・IP電話機、41・・・IP電話機、５・・・インターネット、６・・・着信部、７・・・アドレステーブル、８・・・通話制御部、９・・・転送部、10・・・メッセージ部、11・・・傍受用テーブル、12・・・傍受制御部。
【図１】
2006094330.tif 000003
【図２】
2006094330.tif 000004
【図３】
2006094330.tif 000005
【図４】
2006094330.tif 000006